(57)【要約】【課題】  本発明は、支持レール（２０）に直接取り付けるための、隣接して並べられた多数の配電モジュール（４，６，８）を備える配電装置（２）に関する。【解決手段】  配電装置（２）は、正面側に配置された供給モジュール（４）と、反対側に配置された信号モジュール（８）と、これらの間に配置された少なくとも１つの接続モジュール（６）とを備え、前記供給モジュール（４）は、供給電流を取り出す主電力線用の供給接続部（３４）を有し、前記接続モジュール（６）は、駆動可能な遮断器（２４）が装備されている、または、装備可能であり、前記遮断器（２４）によって遮断可能な負荷回路に接続する多数の負荷接続部（１２６ａ，１２６ｂ）を備え、前記信号モジュール（８）は、前記遮断器（２４）を駆動するスイッチ信号（Ｓ）用の第１の信号接続部（７６）を備え、前記配電モジュール（４，６，８）は、互いに導電結合されている、または、導電結合可能である。【選択図】  図１
2020039253.tif 000002
【特許請求の範囲】
【請求項１】
支持レール（２０）に直接取り付けるための、隣接して並べられた多数の配電モジュール（４，６，８）を備える配電装置（２）であって、正面側に配置された供給モジュール（４）と、反対側に配置された信号モジュール（８）と、これらの間に配置された少なくとも１つの接続モジュール（６）とを備え、
前記供給モジュール（４）は、供給電流を取り出す主電力線用の供給接続部（３４）を有し、
前記接続モジュール（６）は、駆動可能な遮断器（２４）が装備されている、または、装備可能であり、前記遮断器（２４）によって遮断可能な負荷回路に接続する多数の負荷接続部（１２６ａ，１２６ｂ）を備え、
前記信号モジュール（８）は、前記遮断器（２４）を駆動するスイッチ信号（Ｓ）用の第１の信号接続部（７６）を備え、
前記配電モジュール（４，６，８）は、互いに導電結合されている、または、導電結合可能であり、
通信信号（Ｄ，Ａ）を案内するために、前記配電モジュール（４，６，８）を通って形成された通信線（１７６，１７８）が提供されており、
前記供給モジュール（４）は、前記通信信号（Ｄ，Ａ）を供給する第１の通信接続部（５８，６０）を備え、
前記接続モジュール（６）は、前記遮断器（２４）の通信接点（１２０，１２４）に導電結合されており、
隣接して並べられた複数の接続モジュールの遮断器（２４）は、前記通信接点（１２０，１２４）に関して直列接続されており、
前記信号モジュール（８）は、前記通信信号（Ｄ，Ａ）を取り出す第２の通信接続部（７８，８０）を備え、
前記配電モジュール（４，６，８）は、整列方向（２２）におけるハウジング正面側において、第２の接点素子（６４，６６，８６，８８，１４２，１４４，１８４，１８８）によって導電結合されることを特徴とする、配電装置（２）。
【請求項２】
前記供給モジュール（４）および前記接続モジュール（６）は、それぞれ、
第１の結合接点（３６，９０）を備える、供給電流を供給する供給接続部と、
第２の結合接点（４４，９２）を備える接地接続部と、
第３の結合接点（５２，９４）を備える、供給電流が帰還する帰線接続部と、を含み、
前記結合接点（３６，４４，５２，９０，９２，９４）は、ハウジング前面（２８）における、それぞれに割り当てられたハウジングスリット（３８，４８，５４）内に配置されており、前記ハウジングスリット（３８，４８，５４）は、各モジュール（４，６）のハウジング（１０，１２）を、整列方向（２２）において完全に貫通していることを特徴とする、請求項１に記載の配電装置（２）。
【請求項３】
前記接続モジュール（６）は、前記遮断器（２４）のプラグ接点（１０４）用の負荷出力側接点開口部（１０２）を備え、
前記接点開口部（１０２）は、複数個に分割されたプラグベース接点として実施されており、
これによって形成されたプラグベース部分接点（１０２ａ，１０２ｂ）は、電気的に互いに分離されており、
各プラグベース部分接点（１０２ａ，１０２ｂ）は、別々の負荷接続部（１２６ａ，１２６ｂ）に結合されることを特徴とする、請求項２に記載の配電装置（２）。
【請求項４】
前記スイッチ信号（Ｓ）を案内するために、前記配電モジュール（４，６，８）を通って形成されたスイッチ信号線（１７４）が提供されており、
前記信号モジュールに、前記スイッチ信号線（１７４）を視覚的に監視する表示モジュール（２０６）を接続可能であることを特徴とする、請求項１〜３のいずれか１項に記載の配電装置（２）。
【請求項５】
前記表示モジュール（２０６）は、表示ＬＥＤ（２１２，２１２’）と、前記スイッチ信号（Ｓ）を強化する追加回路（２１６，２１６’）とを備えることを特徴とする、請求項４に記載の配電装置（２）。
【請求項６】
前記追加回路（２１６’）は、電圧供給部である内部電源（２２０）と、電子評価ユニット（２２２）とを備え、前記表示ＬＥＤ（２１２’）は、特にダブルＬＥＤであることを特徴とする、請求項５に記載の配電装置（２）。
【請求項７】
請求項４〜６のいずれか１項に記載の配電装置（２）に装備される遮断器（２４）であって、
スイッチ信号（Ｓ）に応じてスイッチ素子を駆動する制御ユニットと、
一方で主電力線に接続し他方で負荷回路に接続する、２つのプラグ接点（１００，１０４）と、
スイッチ信号線（１７４）に接続する２つの信号接点（１１８，１２２）と、
通信線（１７６，１７８）に接続する少なくとも１つの通信接点（１２０，１２４）と、を備える遮断器（２４）。
【発明の詳細な説明】
【技術分野】
【０００１】
本発明は、支持レールに直接取り付けるためのモジュール式配電装置であって、特に整列取付装置の形をした多数の配電モジュールを備える配電装置に関する。
【背景技術】
【０００２】
配電装置とは、以下では、特に、共通の主電力線から電流が供給される１つまたは複数の電気負荷回路を備える電気設備を指す。配電装置の枠内においては、個々の負荷回路を過負荷および／または短絡に対して保護する安全機構が設けられる。
【０００３】
安全機構は、特に、機械式、電子式、または機械電子式遮断器であり、主電気回路または給電線と負荷回路との間に接続される。遮断器は、多くの場合、柔軟な導電線によって、給電線および負荷に個別配線される。このため、このような配電装置の取り付けは、非常に手間がかかる。また、このような配電装置によって形成されるスイッチングシステムは、個別配線のために比較的複雑であり、修理や配電装置を取り付けた状態において後から変更を加える場合に、都合が悪い。
【０００４】
従来の配電装置を接続する手間を低減するために、多数の互いに導電結合可能な個々の配電モジュールから成る、いわゆるモジュール式の配電装置を使用することが可能である。配電モジュールは、典型的には、整列取付装置として、支持レール（トップハットレール）の上に直接並べて取り付け可能であり、一方では、給電線および負荷用の複数の接続部と、他方では、遮断器を回路接続するための少なくとも１つのベース状の差込位置を有している。隣接し合うモジュールは、典型的には、多数のモジュールを架橋する電流レールによって、視覚的に明瞭に導電結合されている。
【０００５】
このような配電装置の範囲において、このような、遮断器が備えられた配電モジュールは、特に、負荷回路が主電力線から分岐する分岐位置に設けられている。これによって、遮断器は、割り当てられた各負荷回路を、電流を案内する主電力線から、必要に応じて分離するように機能する。
【０００６】
典型的には、個々の配電モジュールを並べて配置する場合、信号伝達のための内部配線が提供される。このため、使用される遮断器には、信号接点（開放器および閉鎖器）が一体化されている。これらの信号接点は、個々の信号伝達または全体的な信号伝達の範囲における用途に応じて接続され、スイッチ信号によって駆動可能である。
【発明の概要】
【発明が解決しようとする課題】
【０００７】
目下の従来技術では、このような配電装置は、単極または単チャネル遮断器用にのみ実施されている。従って、２線以上の負荷回路を接続する場合には、２つ以上の単チャネル遮断器の間に、さらに外部の端子または電力分配器を接続する必要がある。このため、接続にさらに手間がかかり、支持レールに沿って、または、配電箱においてさらに場所が必要になる。
【０００８】
本発明の課題は、できるだけ接続の手間をかけずに、複数チャネルの負荷回路を複数チャネルの遮断器に結合することに適していると共にそのように構成された配電装置を提供することにある。また、このような配電装置に取り付けるための遮断器を提供することにある。
【課題を解決するための手段】
【０００９】
本発明によれば、配電装置についての上述の課題は、請求項１の特徴によって、および、このような配電装置に適した遮断器については、請求項７の特徴によって解決される。有効な発展形態および構成は、各従属請求項の対象である。
【００１０】
本発明に係る配電装置は、隣接して並べられた多数の配電モジュール（以下では、略してモジュールと呼ぶ）を備えてモジュール式に形成されている。個々のモジュール、従って配電装置は、例えばトップハットレールまたはＧレールのような支持レールに直接取り付けることに適していると共にそのように構成されている。モジュールは、このため、特に整列取付装置の様式に基づいて、一列に並べて支持レールの上に取り付け可能である。これによって形成されるモジュールパケットは、正面側に配置された供給モジュールと、反対側のパケット正面に配置された信号モジュールと、これらの間に配置された多数の接続モジュールとを含む。
【００１１】
供給モジュールは、好ましい一取付状態において、供給接続部によって、主電力線または給電線に導電結合されている。接続モジュールは、特に、供給線で結合された負荷回路に電流を分配または分岐させるように機能し、好ましくは、駆動可能な遮断器が装備されている、または、装備可能である。遮断器は、過負荷または短絡が生じた場合に、接続されている負荷回路を自動的に遮断する。
【００１２】
接続モジュールは、好ましくは、複数チャネルの負荷回路を配線するための多数の負荷接続部を有している。遮断器を駆動するスイッチ信号が、信号モジュールの第１の信号接続部によって供給可能である。このために、これらのモジュールは、互いに、適切な方法で導電結合されている、または、導電結合可能である。これによって、複数チャネルの負荷回路をほとんど接続の手間をかけることなく接続可能な配電装置が提供される。特に、複数チャネルの負荷回路は、対応して複数チャネルに形成された遮断器が設けられる１つの接続モジュールだけを介して、主電力線に結合可能である。
【００１３】
これらのモジュールは、電気絶縁性材料から成る、好ましくは平坦に実施された（モジュール）ハウジングを含む。接続モジュールは、好ましい一取付状態では、モジュールが互いに接続されていることにより、電流分配または分岐のための主電力線または給電線によって供給モジュールの供給接続部に導電結合されている。
【００１４】
好ましくは、接続モジュールは、ハウジング前面側に、すなわち、支持レールの反対側の（ハウジング）面に、遮断器を差し込むためのベース状の差込位置を有している。接続された負荷回路は、遮断器によって電気的に遮断可能または分離可能である。接続モジュールと遮断器との間の差込接続は、例えば、薄片、ボルト、または、好ましくは平坦なプラグによって実施される。
【００１５】
配電装置のモジュール式構造は、事前加工度が高く、このため製造および組立コストを比較的低減することが可能である。特に、対応する数の接続モジュールを隣接して並べることによって、配電装置を、所望の数の接続される（複数チャネルの）負荷回路に極めて簡単に適合させることが可能である。これとは別に、信号伝達を行わない配線の枠組みにおいては、１つまたは複数の接続モジュールを１つの供給モジュールだけに結合させることも想定可能である。このため配電装置は、電気設備に関して非常に柔軟に利用可能である。
【００１６】
遮断器は、典型的には、機械的、電子的、または機械電子式スイッチとして、または中継器として実施されている。遮断器は、通常、供給接続部を有しており、この供給接続部を介して、電源側の電力線、従って電流を案内する電力線が、第１のプラグ接点を介して接続モジュールに接続される。遮断器はまた、負荷接続部を有しており、この負荷接続部を介して、負荷側に出力される電力線が、第２のプラグ接点を介して接続モジュールに接続可能である。
【００１７】
遮断器とは、特に、内部制御ユニットを備える、熱的、熱磁気的、および電子的な装置遮断器、スイッチ中継器、または過電流保護装置であると理解される。制御ユニットは、特に、スイッチ信号に応じて、遮断器のスイッチ素子を駆動させるように構成されている。このために、遮断器は、好ましくは制御ユニットに接続された２つの信号接点（開放器、閉鎖器）を、接続モジュールの差込位置に対して有している。遮断器は、例えば、信号接点機能のためのバス接続の過程で、通信線に連結するための少なくとも１つの通信接点をさらに含む。
【００１８】
遮断器は、接続モジュールによって予め設定された空間において、配電装置に取り付け可能または装備可能である。接続モジュールは、特に、遮断器とほぼ同じ幅を有しており、すなわち、１つの接続モジュールが、好ましくは、それぞれ１つの遮断器を収容するように機能する。好ましくは、配電装置に装備された遮断器を、直列接続と同様に並列接続においても動作させることが可能であり、このために、１つまたは複数のモジュールにさらなる追加接続部が設けられていてもよい。
【００１９】
モジュールは、整列取付装置として構成する過程で、好ましくは、ハウジング背面に、配電装置を支持レールに載せるための溝が付けられた収容部（ロック溝）を有している。従ってハウジング前面は、上述のモジュールが取り付けられた状態では、ユーザの方に向けられる。収容部（およびこれに対応する支持レール）の輪郭方向は、取付状態において複数のモジュールを所定の方法で隣接して並べることが可能な整列方向を規定する。この整列方向に対して直角に向けられたハウジング面を、以下では、（ハウジング）正面と呼ぶ。他の両ハウジング面は、モジュールの所定の取り付け位置に応じて、（ハウジング）上面または（ハウジング）下面と呼ぶ。
【００２０】
好ましい形態では、少なくとも供給モジュールおよび接続モジュールは、それぞれ、第１の結合接点を備える供給された電流を供給するための供給接続部と、第２の結合接点を備える接地接続部と、第３の結合接点を備え、機能接地または保護接地の過程で電流が帰還するための帰線接続部と、を含む。ここで、接地接続部は、直流電源を保護する際には陰極接続部として機能し、交流電源を保護する際には中性線用の接続部として機能する。これらの結合接点は、好ましくは、それぞれに割り当てられたハウジング前面側のハウジングスリットの中に配置されている。ハウジングスリットは、それぞれ、各ハウジングを整列方向において完全に貫通している。複数のモジュールが隣接して並べられているならば、各ハウジングスリットは、割り当てられた他のモジュールのハウジングスリットに揃えられる。このため、揃えられたハウジングスリットの中に押し込まれる、溝部として構成された電流レールの使用が可能になり、従って、電流レールは、接触事故を防止するようにハウジングによって覆われる。これによって、隣接して並べられた全てのモジュール用の動作電位が提供され、モジュールは、横方向または整列方向に互いに導電結合、特に並列接続される。
【００２１】
このような電流レールは、加工技術的理由により、および、機械的安定性が高いことにより特に有利である。結合接点を揃えた構造によって、個々のモジュールの結合接点が、それぞれ、直線状の電流レールによって架橋可能であることが、さらに確保される。このことは、加工技術的理由により、および、回路構造を出来る限り簡潔にするという意味において、特に有利である。
【００２２】
ハウジングスリットをモジュールの前面に設けることにより、特に、例えば配電箱における場所が狭い場合にも、電流レールの極めて簡単な取り付けが可能になる。また、電流レールは、結合接点の構成により、モジュールを配電箱に取り付けた時でも依然として視認可能である。このため、配電装置に結合された電気設備の明瞭性も向上する。
【００２３】
ハウジングスリットは、それぞれに割り当てられる結合接点を、指が接触しないように、収容できる寸法を有していることが好ましい。これによって、特に、ハウジングスリットを安全性の理由により覆わなくても、接続モジュールを個別配線することが可能になる。ハウジングスリットは、取り付け状態において容易に接近可能なハウジング前面に配置されることが好ましいため、指が接触しないような（接触事故を防止するような）ハウジングスリットの構造は特に都合がよい。
【００２４】
好ましい一実施形態では、スイッチ信号を案内するために、モジュールによって形成された、好ましくは特にモジュールと一体化されたスイッチ信号線が設けられている。スイッチ信号線は、実質的には、取り付けられた遮断器に信号伝達してこれを駆動するためのモジュールの内部配線である。このために、スイッチ信号が、供給モジュールの第２の信号接続部に供給され、接続モジュールを介して、遮断器、従って制御ユニットの信号接点に導電結合される。
【００２５】
スイッチ信号線の配線は、特に、接続モジュールに装備された遮断器がその信号接続部に関して互いに直列接続されるように、モジュールに導かれている。スイッチ信号は、信号モジュールの第１の信号接続部において、監視および評価のために取り出し可能である。モジュールを互いに横方向に配線することは、特に、第１の接点素子によって提供され、接点素子は、取付状態において、整列方向における導電結合、すなわち、隣接するそれぞれ２つのモジュール間のハウジング正面からハウジング正面までの導電結合を実現する。
【００２６】
スイッチ信号線によって、隣接して並べられたモジュール内の一体化された信号線が、取り付けられた（複数チャネルの）遮断器に信号伝達してこれを駆動するために提供される。スイッチ信号は、例えば、信号電流として、プログラマブル論理制御装置（ＳＰＳ）またはデジタル入力部から、個々または集合信号伝達として供給されるが、信号電圧を使用することも同様に想定可能である。これによって、例えば、追加的な配線やバックプレーンバスを使用する必要がなくなる。これは、配電装置の容易な取り付けおよび配線に有用である。
【００２７】
好ましい一発展形態では、同様に、第２の接点素子を介して通信信号を案内する通信線が実現されている。このために通信線は、好ましくは、供給モジュールの第１の通信接続部から接続モジュールを通って延びている。接続モジュールでは、通信線は、通信接点によって、設けられた遮断器の制御ユニットに結合されている。通信線は、信号モジュールまで繋がっており、この信号モジュールにおいて、通信信号は、第２の通信接続部によって取り出されることが可能である。通信線を提供することによって、バスに導かれた遮断器、並びに、内部バスシステムおよび外部バスシステムの接続が可能である。これによって、分配器は、例えば上位に配置された制御構造のための外部の制御ユニットにおいて、遮断器を遠隔操作で駆動すること、および／または、測定値（例えばこれに遮断器を介して流れるスイッチ信号）を測定すること、および、故障の場合に診断することに適していると共にそのように構成されている。
【００２８】
特に適した一発展形態では、配電装置に、特に、２つの通信線がそれぞれ１つの通信信号のために設けられている。第１の通信線は、特に、データバス信号を案内するように機能し、第２の通信線は、アドレスバス信号を案内するように機能する。これによって、例えば、遠隔操作で遮断器を異なる負荷回路から切替え、元に戻し、監視し、または、パラメータ化することが可能になる。ここでいうパラメータ化とは、特に、例えば起動閾値および制御または動作パラメータ、例えば各遮断器の定格電流等を設定することを指す。このために、通信信号は、このような信号を処理および変換することに適していると共にそのように構成された遮断器の制御ユニットに送信されることが都合がよい。
【００２９】
好ましい形態では、第１および第２の接点素子は、ハウジングの側面から突出したバネ張出部を有して実施されている。バネ張出部は、取付状態において、正面側で、隣接したハウジングに少なくとも部分的に噛み合い、隣接した接点素子の接触張出部に導電結合する。ここで、接触張出部は、好ましくは、各モジュールの正面側のハウジング収容部または開口部に配置されている。従って、取付状態において、整列方向における導電結合、すなわち、隣接し合うモジュール間のハウジング正面からハウジング正面までの導電結合が提供される。これによって、一方では、整列方向に沿って容易に取り外し可能なプラグまたは端子接触が提供され、これは、配電システムの柔軟性およびモジュール式構造に有用である。他方では、接点素子の接点位置は、接触事故を防止するようにハウジング内部に配置され、隣接して並べられたモジュールの正面側のハウジング壁によってほぼ全体的に覆われている。あるいは、接点素子を、プラグ／ソケット連結の様式に基づき、例えば平坦なプラグで実施することも想定可能である。
【００３０】
スイッチ信号および通信信号は、典型的には、低電流信号／低電圧信号であるので、接点素子は、特に、低電流接点として実施されている。出来るだけ低い接触抵抗を得るために、接点素子は、好ましくは加工されており、例えば金メッキまたは銀メッキ処理されている。しかしながら、非鉄金属、好ましくは接触力を向上させるために錫メッキされた金属から成る接点素子を備える実施形態も想定可能である。
【００３１】
特に有効かつ好適な一形態では、接続モジュールは、単チャネルと同様に複数チャネルの遮断器も収容およびこれに接点を形成するために適していると共にそのように構成されている。このために、接続モジュールは、負荷出力側に、遮断器のプラグ接点用の接点開口部を有している。接点開口部は、特に、分割されたプラグベース接点として実施されており、これによって形成されるプラグベース部分接点は、一方では電気的に互いに分離されており、他方では別々の負荷接続部に導電結合される。ここで、好ましくは平坦なプラグとして実施されたプラグ接点は、スイッチチャネルの数に対応した数のブレード状プラグを有していることが都合が良い。ブレード状プラグは、好ましくは、対応する数のプラグベース部分接点に接続される。プラグベース接点を分割することによって、接続モジュールは、構造上簡単、従って安価な方法で、複数チャネルの負荷回路を接続する複数チャネルの遮断器を使用することに適していると共にそのように構成されている。
【００３２】
ここで、分割の数は、少なくとも、負荷回路の電流チャネルまたは電線の数に対応していることが都合がよい。しかしながら、特にまた、単線の負荷回路を、複数個形成された負荷接続部のうちの１つに接続するための単極の遮断器を使用してもよい。さらに、多線の負荷回路を接続する際には、さらなる外部端子または電力分配器を省いてもよい。これによって、一方では、接続の手間が有利に低減される。他方では、配電装置は、ほとんど場所を取らず、好ましくは平坦なモジュールおよび整列取付装置としての構成は、特に小型構造の配電装置に有用である。
【００３３】
好適な一形態では、スイッチ信号線を視覚的に監視するための表示モジュールを、信号モジュールに接続可能である。特に、表示モジュールは、視覚的表示素子としての表示ＬＥＤ、および、スイッチ信号を強化する追加回路を備える。これによって、ユーザは、表示ＬＥＤを簡単に視覚的に検査することにより、スイッチ信号回路の動作状態を検査することが可能である。あるいは、表示モジュール、または表示ＬＥＤおよび追加回路を、信号モジュールの内部に一体化することも想定可能である。
【００３４】
表示ＬＥＤは、例えば、スイッチ信号線に電流が流れている動作中に発光する。表示ＬＥＤが消えると、ユーザは、スイッチ信号線の遮断が生じたことを容易に認識する。強化する追加回路は、極めて簡素な実施形態において、例えば、抵抗、表示ＬＥＤ、保護ダイオード、および、場合によっては過電圧保護装置を直列接続することによって実施される。
【００３５】
有効な一発展形態では、追加回路は、電圧供給装置としての内部電源と電子評価ユニットとを有している。ここで、表示ＬＥＤは、多色、特にダブルＬＥＤとして実施されていることが好ましい。評価ユニットが好適に制御されることにより、ユーザに、多色のＬＥＤで、スイッチ信号回路状態の明確な信号伝達が提供される。一体化された電源は、短絡を防止しながらＬＥＤに別々に電源供給するので、スイッチ信号線が短絡した場合も、視覚的な信号がユーザに送信され、故障や短絡は、素早くかつ確実に認識されることが可能である。
【００３６】
評価ユニットおよびＬＥＤは、このため、特に信号表示器に結合されている。評価ユニットは、スイッチ信号を例えば電流または電圧測定によって測定し、測定された測定値に応じてＬＥＤの発光色を変えることに適していると共にそのように構成されている。ダブルＬＥＤは、好ましくは、視覚的に、オフ、緑色、黄色、および赤色の状態を、場合によっては点滅させながら表示することが可能な信号表示器として接続されている。
【発明の効果】
【００３７】
本発明に係るモジュール式の配電装置によって実現される利点は、特に、モジュール式構造である点、および、単チャネルと同様に複数チャネルの負荷回路も対応する遮断器に接続することが可能であるという点にある。特に、各遮断器につき、各負荷回路用の１つの接続モジュールだけが必要とされるので、配電装置は、特に、場所を取らずに構成される。また、１つの配電装置だけに、単チャネルおよび複数チャネルの負荷回路を同時に接続可能である。また、結合された信号動作も、単チャネルおよび複数チャネルの遮断器を同時に使用する場合のスイッチ信号線によって、実現可能である。
【００３８】
接続モジュールを接続可能であることにより、熱的、熱磁気的、および電子的な装置遮断器、スイッチ中継器、または、信号接点を有する電子自動安全装置を有する、モジュール式および極めて柔軟な構造の配電システムを実現可能である。これらは、従来のノーマリオープン接点（直列接続）の接続と同様にノーマリクローズ接点（並列接続）の接続においても動作可能である。また配電装置は、少なくとも１つの通信インターフェース（データバスおよびアドレスバス）を備えているので、新たにバス接続される遮断器および装置を内部および外部のバスシステムに問題なく接続可能である。好ましくは、配電装置の動作中に、装置バスシステムが、遠隔操作された接続、リセット、監視、パラメータ化等のために接続される。また、必要に応じて信号モジュールに接続可能な表示モジュールによって、構造上簡単に、遮断器信号伝達の視覚的な検査を行うことができる。
【図面の簡単な説明】
【００３９】
以下に、本発明の実施形態を、図面を参照しながらより詳細に説明する。図面は、簡潔かつ概略的に示したものである。
【００４０】
【図１】１つの供給モジュール、１つの信号モジュール、その間に配置された６つの接続モジュール、および、装備された２つの遮断器を備える配電装置を示す斜視図である。
【図２】供給モジュールを示す斜視図である。
【図３】信号モジュールを示す斜視図である。
【図４】接続モジュールを示す斜視図である。
【図５】ハウジングを省いた接続モジュールを示す斜視図である。
【図６ａ】接続モジュールの分割されたプラグベース接点を、結合された遮断器の平坦なプラグと共に示す斜視図であり、平坦なプラグの様々な実施形態を示している。
【図６ｂ】接続モジュールの分割されたプラグベース接点を、結合された遮断器の平坦なプラグと共に示す斜視図であり、平坦なプラグの様々な実施形態を示している。
【図７】１つの供給モジュール、遮断器が装備された４つの接続モジュール、および、１つの信号モジュールを備える配電装置の回路図である。
【図８】結合された２つの、ハウジングを省いた接続モジュールの上面を示す斜視図であり、各接続モジュールは３つの接点素子を備えている図である。
【図９】接点素子を示す斜視図である。
【図１０】第１の実施形態における、信号モジュールに連結可能な表示モジュールの回路図である。
【図１１】第２の実施形態における、信号モジュールに連結可能な表示モジュールの回路図である。
【００４１】
全ての図において、互いに対応する部材は常に同一の参照符号が付されている。
【発明を実施するための形態】
【００４２】
図１に示される配電装置２は、１つの供給モジュール４、６つの接続モジュール６、および、１つの信号モジュール８を、（配電）モジュールとして備える。これらのモジュールは、図２〜図４にそれぞれ図示されている。各モジュール４、６、８は、別々のハウジング、すなわち、他のモジュール４、６、８から分離されたハウジング１０、１２、または１４を含む。各モジュール４、６、８は、整列取付装置の様式に基づいて構成されており、これに応じて、ハウジング背面１６に溝状の収容部１８を備えている。収容部１８を用いて、各モジュール４、６、８を、取り付けのために支持レール２０に嵌合可能である。
【００４３】
この収容部１８の輪郭方向（および、対応する、取付状態においてこの収容部１８に対応する支持レール２０の輪郭方向）は、モジュール４、６、８が隣接して並べられる整列方向２２を規定する。これに関して、図１に示される実施形態では、２つの遮断器２４が、モジュール４、６、８から成るパケットの内部における各接続モジュール６に配置されており、供給モジュール４が一方の側面部材として、および、信号モジュール８が他方の側面部材として、接続モジュール６の整列方向２２における両外側面に配置されている。
【００４４】
各モジュール４、６、８の、整列方向２２において隣接しあうハウジング平面を、以下において、各モジュール４、６、８の正面２６と呼ぶ。各モジュール４、６、８のハウジング背面１６の反対側のハウジング面を、モジュール４、６、８の前面２８と呼ぶ。この前面２８は、配電装置２が配電箱に取り付けられた時に、ユーザの方に向けられる。各モジュール４、６、８の残りの両ハウジング面は、（モジュール４、６、８の従来の取付位置に応じて）、周囲の空間における実際の位置とは無関係に上面３０または下面３２と呼ぶ。
【００４５】
図２に再度別個に示される供給モジュール４は、詳細には図示されていない主電気回路に電気接触するため、つまり配電装置２に電流を供給するための供給接続部３４を含む。供給接続部３４は、ハウジング１０の前面２８において、上面３０の近傍に配置されており、主電気回路のワイヤ導線または撚り導線用の接続端子として構成されている。供給接続部３４は、ハウジング１０内において、溝状のハウジングスリット３８の内部に配置された結合接点３６に導電結合されている。
【００４６】
供給モジュール４は、ハウジング１０のほぼ半分の高さに、陰極または中性線に接続するための接地接続部４０を有している。接地接続部４０は、ハウジング１０の前面２８に配置されており、ワイヤ導線または撚り導線用の接続端子として構成されている。接地接続部４０は、ハウジング１０の内部において、接点素子４２であるソケットと第２の結合接点４４とに導電結合されている。以下においてソケットと呼ばれる接点素子４２は、上面３０の近傍における、取付状態で接続モジュール６に向かい合う正面２６のハウジング開口部４６の内部に配置されている。
【００４７】
結合接点４４は、ハウジング１０の中央に設けられた、ハウジング前面２８のハウジングスリット４８の中に位置している。
【００４８】
供給モジュール４は、保護接地または機能接地の過程で、詳細には図示されていない電流帰線部に電気接触するための帰線接続部５０をさらに含む。帰線接続部５０は、ハウジング１０の前面２８において下面３２の近傍に配置されており、供給接続部３４および接地接続部４０のように、接続端子として構成されている。帰線接続部５０も、下面３２の領域に配置されたハウジングスリット５４内の結合接点５２に導電結合されている。
【００４９】
溝状のハウジングスリット３８、４８、５４は、特に、ハウジング前面２８に対して開口されるように、供給モジュール４のハウジング１０に設けられている。ハウジングスリット３８、４８、５４は、整列方向２２に、ハウジングのほぼ全幅に渡って延びており、従って、ハウジング１０の対向しあう正面２６に対して開口している。
【００５０】
供給接続部３４と接地接続部４０との間には、ハウジング前面側において、１つの信号接続部５６および２つの通信接続部５８および６０用の３つのさらなる接続端子が設けられている。接続部５６、５８、６０は、接続部３４、４０、５０と比べて小さく形成されており、好ましくは、開閉信号または通信信号として低電流を給電するために形成されている。接続部５６、５８、６０は、接地接続部４０と同様に、ハウジング１０の内部において、ソケットとして構成された接点素子６２、６４、６６に結合されている。接点素子またはソケット６２、６４、６６には、正面２６から、ほぼ長方形のハウジング開口部６８、７０、７２を介してアクセス可能である。
【００５１】
以下において、図３を参照しながら、信号モジュール８をより詳細に説明する。信号モジュール８のハウジング１４は、３つのハウジングスリット３８、４８、および、５４を有している。これらは、供給モジュール４のハウジングスリットとほぼ同様に構成されているが、ハウジングの内部との結合接点は有していない。下方のハウジングスリット４８と５４との間には、４つの接続端子７４、７６、７８、および８０が、１つの接地接続部７４、１つの信号接続部７６、および、２つの通信接続部７８および８０として配置されている。
【００５２】
接続部７４、７６、７８、８０は、ハウジング１４の内部において、接点素子８２、８４、８６、８８に導電結合されている。以下においてプラグと呼ばれる接点素子８２、８４、８６、８８は、特に、平坦なプラグとして実施され、取付状態において接続モジュール６に面した正面２６から少なくとも部分的に、ハウジング１４から突出している。プラグ８２、８４、８６、８８は、このため、特に、取付状態においてほぼソケット４２、６２、６４、６６の高さに位置するように配置されている。
【００５３】
以下に、接続モジュール６の構造を、図４および図５を参照しながらより詳細に説明する。ここで、例えば図１では、参照番号は、１つの接続モジュール６だけに付されている。接続モジュール６のハウジング１２は、３つのハウジングスリット３８、４８、および５４を有している。これらのハウジングスリットは、供給モジュール４のハウジングスリットとほぼ同一に構成されており、それぞれ１つの結合接点９０、９２、９４をハウジング内部に有している。ハウジングスリット３８と４８との間には、遮断器２４用の、ハウジング前面側の差込位置９６が備えられている。差込位置９６は、遮断器２４の（好ましくは平坦なプラグとして構成された）第１のプラグ接点１００用の第１の接点開口部９８と、遮断器２４の（同じく好ましくは平坦なプラグとして構成された）第２のプラグ接点１０４用の第２の接点開口部１０２とを備えている。
【００５４】
加えて、差込位置９６は、さらに５つの接点開口部１０６、１０８、１１０、１１２、および、１１４を有している。これらの接点開口部は、対応する遮断器２４の（好ましくは平坦なプラグとして構成された）信号または通信接点１１６、１１８、１２０、１２２、および、１２４のためのものである。特に図５に明示されているように、差込位置９６の接点開口部９８、１０２、１０６、１０８、１１０、１１２、および、１１４は、特に、プラグベース接点として構成されている。接点開口部９８、１０２、１０６、１０８、１１０、１１２、１１４、および、プラグ接点または信号接点１００、１０４、１１６、１１８、１２０、１２２、１２４は、特に、プラグ／ソケット対の意味において相補的に構成されている。
【００５５】
差込位置９６はさらに、各上方および下方領域において、遮断器２４を壊れないようにクランプ固定するための、鉤に似た形状の係止素子１２６を有している。このために、遮断器２４のハウジングは、詳細には説明しない方法で対応して形成された、振動を回避しつつ簡単かつ動作信頼性を有して係合またはスナップ結合するための当接または係合素子を有している。
【００５６】
差込位置９６の下方では、２つの接続端子が、詳細には図示されていない負荷回路を接続するための負荷接続部１２６ａおよび１２６ｂとして配置されている。接続端子１２６ａ、１２６ｂは、ハウジングの内部において、接点開口部１０２に導電結合されている。また、接点開口部９８は、ハウジング１２の内部において、導電性の導体レール１２８によって、ハウジングスリット３８の結合接点９０とほぼ一体化して結合されている。従って、遮断器２４は、取付状態において、結合接点９０と負荷接続部１２６ａ、１２６ｂとの間に接続されて、負荷回路を遮断するようになっている。
【００５７】
接続モジュール６はさらに、４つの接続端子１３０、１３２、１３４、および、１３６を有している。これらは、下方のハウジングスリット４８、５４間において、２つの接地接続部１３０、１３２および２つの帰線接続部１３４、１３６として配置されている。ハウジング１２の内部では、接地接続部１３０および１３２はいずれも、ハウジングスリット５４の結合接点９４に導電接続され、帰線接続部１３４および１３６はいずれも、ハウジングスリット４８の結合接点９２に導電接続されている。
【００５８】
接点開口部１０６、１０８、１１０、１１２、および１１４は、ハウジングの内部において４つの接点素子１３８、１４０、１４２、および１４４に導電結合されている。接点素子１３８、１４０、１４２、および１４４は、特に、プラグ／ソケット対として実施されており、以下では、プラグに、追加的に参照番号ａが付されており、ソケットに、追加的に参照番号ｂが付されている。ソケット１３８ｂ、１４０ｂ、１４２ｂ、および１４４ｂは、正面側のハウジング開口部１４６、１４８、１５０、および１５２に配置されており、プラグ１３８ａ、１４０ａ、１４２ａ、および、１４４ａは、特に図５に明示されているように、ハウジング１２の反対側の正面２６から少なくとも部分的に突出している。
【００５９】
接続モジュール６および信号モジュール８のハウジング１２および１４は、図５に明示されているように、ハウジング背面１６上の収容部１８の領域において、正面２６から突出する２つの係止突部１５４を有している。係止突部１５４は、モジュール４、６、８の取り付けを容易にするために、接続モジュール６および供給モジュール４の対応する係止収容部１５６に係合可能またはスナップ結合可能であり、係止収容部１５６は、係止突部１５４に対向する正面２６に配置されている。ハウジング１２、１４は、さらに、係止突部側の正面２６に、一体形成され正面２６から突出した２つの接合延長部１５８を有している。この接合延長部１５８は、モジュール４、６、８を並べて配置または並べて嵌入することを容易にするためのものである。接合延長部１５８は、取付状態において、少なくとも部分的に、隣接するモジュール４、６の対応する接合収容部１６０の中に噛み合って、振動を回避しつつ動作信頼性を有して固定される。
【００６０】
特に図６ａおよび図６ｂに明示されているように、プラグベース状の接点開口部１０２は、特に、２つに分割されたプラグベース接点として実施されている。これによって形成されるプラグベース部分接点１０２ａおよび１０２ｂは、実質的に１つの部材として、導体レール１６２を介して、それぞれ負荷接続部１２６ａまたは１２６ｂに導電結合されている。これによって、接点開口部１０２は、単チャネルと同様に２チャネルの遮断器も収容し、別個に各負荷回路に接続することに適していると共にそのように構成されている。
【００６１】
図６ａには、接点開口部１０２にコンタクトした単チャネル遮断器２４が、１つのブレード状の平坦なプラグとして実施されたプラグ接点１０４と共に、部分的に示されている。この実施形態では、プラグベース部分接点１０２ａおよび１０２ｂはいずれも、同一のプラグ接点とコンタクトするので、負荷出力部１２６ａおよび１２６ｂにおいて、同一の出力電流が提供される。
【００６２】
図６ｂには、２チャネル負荷回路と接続するための２チャネル遮断器２４とのコンタクトについて示されている。この実施形態では、プラグ接点１０４は、２つに分割されたブレード状プラグを有する平坦なプラグとして実施されている。このため、これによって形成されたプラグ接点１０４ａおよび１０４ｂは、電気的に互いに分離されてプラグベース部分接点１０２ａまたは１０２ｂにコンタクトする。これによって、単チャネルと同様に２チャネルの遮断器２４および負荷回路も、接続モジュールに接続することが可能である。特に、これによって、単チャネルおよび２チャネルの遮断器２４を、同時に、同一の配電装置２の２つの接続モジュール６において動作させることが可能になる。
【００６３】
配電装置２を組み付けるために、図１によれば、信号モジュール４が、接続される負荷回路の数に応じた数の接続モジュール６、および、１つの信号モジュール８と一緒に、正面側において隣接して並べられている。ここで、各モジュール６、８は、ハウジング１２、１４の正面２６における係止突部１５４と隣接する各モジュール４、６、８の正面２６におけるモジュール４、６の対応する係止収容部１５６とによって、揃えられて、かつ、取り外し可能に、互いに（差込）接続されている。従って、接続モジュール６の正面２６は、供給モジュール４、隣接する接続モジュール６、および信号モジュール８によって、ほぼ完全に覆われている。特に図１に明示されているように、隣接するモジュール４、６、８のハウジングスリット３８、４８、および５４が互いに揃っているので、それぞれ、モジュール４、６、８のほぼ繋がった直線状の１つの貫通溝として実施される。
【００６４】
このような配電装置２の枠内では、図７に示されるような電流レール１６４が、モジュール４、６、８の揃えられたハウジングスリット３８の中に押し込まれ、従って、結合接点３６、９０にコンタクトすることにより、供給モジュール４の供給接続部３４は、隣接して並べられたモジュール４、６と並列接続される。ここで、電流収集レール１６４の長さは、配電装置２において一体化される全てのモジュール４、６、８の全幅に渡って延びる程度に設定されている。従って、並列接続されたモジュール４、６を外部の電圧源に接続することは、主電気回路を供給接続部３４の接続端子に従来の方法で配線することによって実現される。
【００６５】
同様に、隣接して並べられたモジュール４、６の接地接続部４０、１３０、１３２および帰線接続部５０、１３４、１３６は、各電流レール１６６および１６８をハウジングスリット４８および５４の中に押し込むことによって、互いに並列接続され、接地接続部４０は、特に大地に接続され、帰線接続部５０は、特に帰線電位としての保護接地または機能接地に接続される。負荷回路の供給線が、接続モジュール６の負荷接続部１２６ａおよび／または１２６ｂに接続され、負荷回路の帰線が、接続モジュール６の帰線接続部１３４および／または１３６の接続端子に導電接続されることにより、配電装置２の個々の負荷回路は、最終的にそれぞれに割り当てられた１つの接続モジュール６に接続される。
【００６６】
モジュール４、８のハウジングスリット３８、４８、５４を、接触事故を防止するように、整列方向２２のそれぞれ外側に位置する正面２６において閉鎖するために、図１では供給モジュール４について示されているように、各ハウジングスリット３８、３８、５４に絶縁性の被覆素子１７０が設けられている。
【００６７】
図７では、取付状態において結果的に得られるモジュール４、６、８の接続状態が、それぞれ１つの遮断器２４が装備された４つの接続モジュール６を有する配電装置２を例として示されている。図７において、接続モジュール６と遮断器２４との接続については、１つの接続モジュール６と１つの遮断器２４との場合だけを例として示している。
【００６８】
配電装置２は、供給モジュール４の供給接続部３４を介して、主電力線に接続されている。結合接点３６を介して、電流レール１６４によって、各接続モジュール６から負荷回路が結合接点９０を介して分岐されている。電流レール１２８を介して、分岐された負荷電流が、接点開口部９８およびプラグ接点１００を通って、遮断器２４の詳細には図示されていない保護回路の中に流れる。保護回路は、過負荷の場合に、接続された負荷回路を遮断するための電気スイッチ素子を備えていることが好ましい。遮断器は、場合によっては２ブレード状に構成されたプラグ接点１０４、および、接点開口部１０２またはプラグベース部分接点１０２ａおよび１０２ｂを介して、負荷接続部１２６ａおよび１２６ｂにより負荷回路の供給線に接続される。負荷回路の帰還は、帰線接続部１３４および／または１３６への接続により行われる。
【００６９】
その後、接続モジュールに遮断器２４が装備される。遮断器２４は、差込位置９６に、簡単に、素早く、かつ、問題なく差し込み可能である。また、遮断器２４は、係合またはスナップ結合により、場合によっては、極めて簡単に交換可能である。
【００７０】
特に図７に明示されているように、モジュール４、６、８によって形成されるパケットは、プラグ／ソケット連結の様式に従って結合された接点素子４２、６２、６４、６６、８２、８４、８６、８８、１３８、１４０、１４２、１４４を介して、整列方向においてハウジング正面２６からハウジング正面２６まで、供給モジュール４から信号モジュール８まで、接地線１７２、スイッチ信号線１７４、第１の通信線１７６、および、第２の通信線１７８により導電的に貫通されている。接地線１７２、スイッチ信号線１７４、および、通信線１７６および１７８は、ハウジング１０，１２，１４の内部において、互いに平行に、および、電流レール１６４、１６６、および１６８にほぼ平行に延びるように配置されている。
【００７１】
接地線１７２は、結合接点４４に接続されており、供給モジュール４のソケット４２を介して、隣接する接続モジュール６のプラグ１３８ａに結合されている。接地線１７２は、接点開口部１０６を介して延びており、接点開口部１０６において、接地線１７２は、ゼロボルト基準電位としての遮断器２４の信号接点１１６を介して結合されている。ソケット１３８ｂを介して、接地線１７２は同様に、隣接し合う接続モジュール６を通って、外側の接続モジュール６のソケット１３８ｂまで延びて、信号モジュール８のプラグ８２に達している。従って、供給モジュール４の接地接続部４０に接続された陰極または中性線は、信号モジュール８の接地接続部７４においても取り出し可能である。従って、接点素子４２、１３８、および８２によって形成された接地線１７２は、ほぼ並列に延びる電流レール１６８と同一の電位を有する。
【００７２】
スイッチ信号線１７４は、遮断器２４を駆動可能なスイッチ信号Ｓを案内するためのものである。この信号Ｓは、供給モジュール４の信号接続部５６を介して供給される。スイッチ信号Ｓは、例えば、配電装置２の外部制御ユニットのプログラマブル論理制御装置（ＳＰＳ）の電流信号または電圧信号である。信号線１７４は、ソケット６２およびプラグ１４０ａを介して、並べられた接続モジュール６の中に延びている。接続モジュール６において、スイッチ信号Ｓは、接点開口部１０８および信号接続部１１８を介して、遮断器２４の中に導かれる。スイッチ信号線１７４は、遮断器２４においても詳細には図示されていない形態で延びており、遮断器２４の電子スイッチ素子に結合されて、スイッチ素子がスイッチ信号によって駆動可能なようになっている。スイッチ信号線１７４は、信号接続部１２２および接点開口部１１２を介して、ソケット１４０ｂに接続されている。スイッチ信号線１７４は、同様にソケット１４０ｂを介して、並べられた接続モジュール６を通って延び、信号モジュール８の信号接続部７６におけるプラグ８４で終結している。
【００７３】
通信線１７６は、通信信号Ｄを案内するためのものである。通信信号Ｄは、配電装置２用の外部制御ユニットのデータバス信号であることが好ましく、従って以下では、通信信号Ｄはデータバス信号とも呼ばれ、通信線１７６はデータバス線とも呼ばれる。データバス信号Ｄは、通信またはデータバス接続部５８により、供給モジュール４を介して供給される。ソケット６４を介して、隣接する接続モジュール６のプラグ１４２ａがコンタクトされ、プラグ１４２ａにおいて、接点開口部１１０が、遮断器２４の信号接点または通信接点１２０に導電的に接続される。ソケット１４０ｂを介して、隣接しあう接続モジュール６が直列に接続されていると共に、これらに遮断器２４が、直列に接続されている。データバス線１７６は、ソケット１４０ｂと信号モジュール８のプラグ８６との差込接続によって、通信またはデータバス接続部７８において終結している。
【００７４】
通信線１７８は、通信信号Ａを案内するためのものである。通信信号Ａは、配電装置２用の外部制御ユニットのアドレスバス信号であることが好ましく、従って以下では、通信信号Ａはアドレスバス信号とも呼ばれ、通信線１７８は、アドレスバス線とも呼ばれる。アドレスバス信号Ａは、通信またはアドレスバス接続部６０により、供給モジュール４に供給される。ソケット６６を介して、隣接する接続モジュール６のプラグ１４４ａがコンタクトされ、プラグ１４４ａにおいて、接点開口部１１４が導電接続されている。接点開口部１１４は、遮断器２４の信号または通信接点１２４に接続されている。好ましくは、本実施形態では２チャネルの遮断器２４は、部分接点１２４ａおよび１２４ｂを備える分割された通信接点により、アドレスバス線１７８に結合されている。
【００７５】
図７に示される実施形態では、遮断器２４は、特に２チャネル式に実施されており、ここで、接点開口部１１４は、接点開口部１０２と同様に、２つの部分接続部１１４ａおよび１１４ｂによって、信号接点１２４ａ、１２４ｂの２ブレード式に構成された平坦なプラグにコンタクトしている。信号接点１２４ａおよび１２４ｂ間において、遮断器２４内部のアドレスバス信号Ａは、好ましくは、詳細には図示されていない遮断器制御ユニットに信号技術的に結合されている。接点開口部１１４ｂは、プラグ１４４ｂに結合されているので、アドレスバス線１７８は、隣接し合う接続モジュール６から、信号モジュール８のプラグ８８まで貫通している。アドレスバス信号Ａは、信号モジュール８において、つまり、通信またはアドレスバス接続部８０において、取り出し可能である。
【００７６】
図８および図９を参照しながら、モジュール４、６、８間の導電的にコンタクトするための接点素子４２、６２、６４、６６、８２、８４、８６、８８、１３８、１４０、１４２、１４４の他の実施形態について、例えば接点素子１３８、１４０、１４２、および１４４の変形例を参照しながらより詳細に説明する。
【００７７】
他の形態の接点素子１８０、１８２、１８４、１８６、および１８８は、一体化されプレス加工された屈曲部材として、特に、接点開口部１０６、１０８、１１０、１１２、および１１４の各プラグベース半体として構成されている。接点素子１８０、１８４、および１８８は、それぞれ、２つの結合されたプラグベースフラップとして実施されており、これらのプラグベースフラップは、それぞれ、ハウジング背面１６に向かって、バネ張出部１９０、１９２、１９４と接触張出部１９６、１９８、２００とを備える。接点素子１８２は、バネ張出部２０２に結合されたバネアーチ側のプラグベースフラップを有している。接点素子１８６は、これに相補的な、接触張出部２０４に結合された接触張出部側のプラグベースフラップを有している。
【００７８】
バネ張出部１９０、１９２、１９４、および２０２は、取付状態におけるその接触機能において、上述の実施形態のプラグ１３８ａ、１４０ａ、１４２ａ、および１４４ａに相当するものである。接触張出部１９６、１９８、２０４、２００は、本実施形態では、導電結合するソケット１３８ｂ、１４０ｂ、１４２ｂ、および１４４ｂの等価物に相当する。
【００７９】
バネ張出部１９０、１９２、１９４、２０２は、ハウジング１２の正面２６から少なくとも部分的に突出する屈曲柔軟性を有する湾曲した素子であり、取付状態において隣接するハウジング１２の正面２６のハウジング開口部１４６、１４８、１５０、１５２の中に噛み合い、そこで、図９に示されるように少なくともそのアーチクラウン点の領域において接触した状態で、接触張出部１９６、１９８、２００、２０４に当接する。
【００８０】
図１０には、信号モジュール８用の表示モジュール２０６が概略的に示されている。表示モジュール２０６は、ハウジング２０８、直列抵抗２１０、緑色表示ＬＥＤ２１２、および逆極保護ダイオード２１４を含む。直列抵抗２１０、表示ＬＥＤ２１２、および逆極保護ダイオード２１４は、直列接続された追加回路２１６として、信号モジュール８の信号接続部７６と接地接続部７４との間に導電的に配置されている。追加回路２１６は、好ましくは電流信号として案内されたスイッチ信号Ｓを強化し、ユーザが、表示ＬＥＤ２１２によって、スイッチ信号線１７４の状態を視覚的に監視することを可能にする。本実施形態では、表示ＬＥＤ２１２は、例えば、動作中には緑色を発光し、スイッチ信号線１７４が遮断されると消灯する。
【００８１】
図１１は、表示モジュール２０６の第２の実施変形例を能動回路で示す図である。本実施例では、スイッチ信号Ｓを強化する追加回路２１６’は、保護ダイオード２１８、内部電源２２０、評価ユニット２２２、および、表示ＬＥＤ２１２’を有している。保護ダイオード２１８は、順方向において、信号接続部７６と電源２２０との間に配置されている。電源２２０および評価ユニット２２２は、本実施形態では、ダブルＬＥＤとして実施された表示ＬＥＤ２１２’に並列接続されている。
【００８２】
評価ユニット２２２は、好適な一実施例では、マイクロコントローラとして実施されているか、または、オペアンプ、比較器、等によって構成されている。追加回路２１６’は、本実施形態では特にスイッチ信号監視モジュールとして機能する。好ましくは緑色／赤色に発光する表示またはダブルＬＥＤ２１２’は、４つの状態であるオフ、緑色、黄色、および、赤色を、場合によっては点滅しながら視覚的に示すことに適していると共にそのように構成されている。これによって、ユーザには、非常に多くの情報が、スイッチ信号線１７４によって形成されたスイッチ信号回路を介して視覚的に表示可能である。従って、例えば、赤色／黄色／緑色の３色は、スイッチ信号回路の異なる動作状態に関連付けられており、例えば、緑色は、評価ユニット２２２によって測定され、評価ユニットに設定された第１の閾値Ｍ１よりも高い測定値を有するスイッチ信号Ｓを示し、黄色は、第１の閾値Ｍ１と第２の閾値Ｍ２との間のスイッチ信号Ｓを示し、赤色は、第２の閾値Ｍ２よりも小さい値のスイッチ信号Ｓを示し、オフは、スイッチ信号Ｓが存在しないこと、または、電圧破壊またはスイッチ信号線１７４に破線が生じたことを視覚的に示す信号である。
【００８３】
電圧状のスイッチ信号Ｓの好適な規模では、閾値Ｍ１は２２Ｖであり、閾値Ｍ２は２０Ｖである。電流状のスイッチ信号Ｓの場合、例えば、閾値Ｍ１は１０ｍＡであり、閾値Ｍ２は５ｍＡであることが想定可能である。
【００８４】
負荷接続部１２６ａおよび１２６ｂの二極型接続端子は、好適な形態では、それぞれ、約４ｍｍ２の接続部断面積を有する。モジュール４、６、８の全ての接続端子は、例えば、ネジ型端子、引張バネ端子、または、好ましくは弾性端子として実施されており、そのため、ワイヤまたは撚り導線の接続を、振動、メンテナンス、および、取り付けの手間を回避しながら実行可能である。
【００８５】
本発明は、上述の実施形態に限定されない。むしろ、本発明の対象から逸脱しない本発明の他の変形例も、当業者には想定可能であろう。また、特に、実施形態に関連して説明した全ての各特徴を、本発明の対象から逸脱することなく、別の態様で組み合わせてもよい。
【００８６】
特に、３チャネルの負荷回路に接続するための接続モジュール６も想定可能である。このために、対応して、接地および帰還用のさらなる接続部が設けられ、接点開口部１０２の３つに分割されたプラグベース接点が設けられる。これらのプラグベース接点は、それぞれ、例えば１．５ｍｍ２の面積の接続部断面を有する対応する３つの負荷接続部１２６を備える。また、例えば、表示モジュール２０６を直接、信号モジュール８のハウジング１４内に取り付けることも可能である。さらに、個々の接続モジュール６に、異なる遮断器２４を差し込みまたは取り付けることも可能である。
【符号の説明】
【００８７】
２  配電装置
４  供給モジュール
６  接続モジュール
８  信号モジュール
１０  ハウジング
１２  ハウジング
１４  ハウジング
１６  ハウジング背面
１８  収容部
２０  支持レール
２２  整列方向
２４  遮断器
２６  正面
２８  前面
３０  上面
３２  下面
３４  供給接続部
３６  結合接点
３８  ハウジングスリット
４０  接地接続部
４２  接点素子／ソケット
４４  結合接点
４６  ハウジング開口部
４８  ハウジングスリット
５０  帰線接続部
５２  結合接点
５４  ハウジングスリット
５６  信号接続部
５８  通信／データバス接続部
６０  通信／アドレスバス接続部
６２  接点素子／ソケット
６４  接点素子／ソケット
６６  接点素子／ソケット
６８  ハウジング開口部
７０  ハウジング開口部
７２  ハウジング開口部
７４  接地接続部
７６  信号接続部
７８  通信／データバス接続部
８０  通信／アドレスバス接続部
８２  接点素子／プラグ
８４  接点素子／プラグ
８６  接点素子／プラグ
８８  接点素子／プラグ
９０  結合接点
９２  結合接点
９４  結合接点
９６  差込位置
９８  接点開口部
１００  プラグ接点
１０２  接点開口部
１０２ａ、１０２ｂ  プラグベース部分接点
１０４、１０４ａ、１０４ｂ  プラグ接点
１０６  接点開口部
１０８  接点開口部
１１０  接点開口部
１１２  接点開口部
１１４、１１４ａ、１１４ｂ  接点開口部
１１６  信号接点
１１８  信号接点
１２０  信号／通信接点
１２２  信号接点
１２４、１２４ａ、１２４ｂ  信号／通信接点
１２６ａ、１２６ｂ  負荷接続部
１２８  導体レール
１３０  接地接続部
１３２  接地接続部
１３４  帰線接続部
１３６  帰線接続部
１３８  接点素子
１３８ａ  プラグ
１３８ｂ  ソケット
１４０  接点素子
１４０ａ  プラグ
１４０ｂ  ソケット
１４２  接点素子
１４２ａ  プラグ
１４２ｂ  ソケット
１４４  接点素子
１４４ａ  プラグ
１４４ｂ  ソケット
１４６  ハウジング開口部
１４８  ハウジング開口部
１５０  ハウジング開口部
１５２  ハウジング開口部
１５４  係止突部
１５６  係止収容部
１５８  接合延長部
１６０  接合収容部
１６２  導体レール
１６４  電流レール
１６６  電流レール
１６８  電流レール
１７０  被覆素子
１７２  接地線
１７４  スイッチ信号線
１７６  通信／データバス線
１７８  通信／アドレスバス線
１８０  接点素子
１８２  接点素子
１８４  接点素子
１８６  接点素子
１８８  接点素子
１９０  バネ張出部
１９２  バネ張出部
１９４  バネ張出部
１９６  接触張出部
１９８  接触張出部
２００  接触張出部
２０２  バネ張出部
２０４  接触張出部
２０６  表示モジュール
２０８  ハウジング
２１０  直列抵抗
２１２  表示ＬＥＤ
２１２’  表示ＬＥＤ／ダブルＬＥＤ
２１４  逆極保護ダイオード
２１６、２１６’  追加回路
２１８  保護ダイオード
２２０  電源
２２２  評価ユニット
Ｓ  スイッチ信号
Ｄ  通信／データバス信号
Ａ  通信／アドレスバス信号
Ｍ１  閾値
Ｍ２  閾値
【図１】
2020039253.tif 000003
【図２】
2020039253.tif 000004
【図３】
2020039253.tif 000005
【図４】
2020039253.tif 000006
【図５】
2020039253.tif 000007
【図６ａ】
2020039253.tif 000008
【図６ｂ】
2020039253.tif 000009
【図７】
2020039253.tif 000010
【図８】
2020039253.tif 000011
【図９】
2020039253.tif 000012
【図１０】
2020039253.tif 000013
【図１１】
2020039253.tif 000014